(57)【要約】【課題】記録媒体の第１の面と当該第１の面の反対の面である第２の面とに画像を形成する場合に、両面の画像形成領域の少なくとも一部同士を厚み方向に重ねる。【解決手段】クライアント装置１０の面付け処理部１１１は、両面印刷が行われる場合に、おもて面の印刷領域の位置に基づいて、うら面の印刷領域の位置を設定する。その際、面付け処理部１１１は、うら面の印刷領域が、用紙の搬送方向の長さから、用紙の搬送方向下流側の端部からおもて面の印刷領域の上流側の端部までの距離を減じて得た値の距離だけ、用紙の搬送方向上流側の端部から搬送方向に離れるように、うら面の印刷領域の位置を設定する。【選択図】図２
2017062667.tif 000002
【特許請求の範囲】
【請求項１】
記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、
前記設定された画像形成領域の位置を示す情報を出力する出力部と
を備える情報処理装置。
【請求項２】
前記画像形成領域設定部は、前記第２の面における前記画像形成領域の前記搬送方向の位置を規定する第２の基準位置を、前記記録媒体の前記搬送方向の長さから、前記第１の面における前記画像形成領域の前記搬送方向の位置を規定する第１の基準位置を示す値を減じて得た値に対して、前記第１の面における前記画像形成領域の前記搬送方向の長さを加算又は減算して得られる値に基づいて定まる位置に設定することを特徴とする請求項１に記載の情報処理装置。
【請求項３】
前記記録媒体の前記搬送方向の長さを示す情報であって、前記記録媒体を収容する前記画像形成装置から出力される情報を取得する取得部をさらに備えることを特徴とする請求項１又は２に記載の情報処理装置。
【請求項４】
前記画像形成領域設定部は、前記第１の面における画像形成領域の数と、前記第２の面における画像形成領域の数とが予め定められた条件を満たす場合に、前記第１の面における一の画像形成領域と前記第２の面における一の画像形成領域とからなる各組について、前記設定を行うことを特徴とする請求項１乃至３のいずれか１項に記載の情報処理装置。
【請求項５】
記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、
前記設定された画像形成領域の位置を示す情報を出力する出力部と
を備える情報処理装置と、
前記記録媒体の前記第２の面において、前記出力された情報により示される位置の画像形成領域に画像を形成する画像形成装置と
を備える画像形成システム。
【請求項６】
コンピュータを、
記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、
前記設定された画像形成領域の位置を示す情報を出力する出力部
として機能させるためのプログラム。
【発明の詳細な説明】
【技術分野】
【０００１】
本発明は、情報処理装置、画像形成システム及びプログラムに関する。
【背景技術】
【０００２】
近年の連続紙プリンタを使用した印刷システムは、重連接続構成にすることで両面を高速に印刷することができる。また、タイプの異なるプリンタ同士を接続することで、カラーやモノクロなどを使い分けて印刷したり、様々な用紙の種類やサイズに対応した印刷を行ったりしている。
【０００３】
両面印刷については、例えば、特許文献１には、折り返すことで擬似的に両面印刷となる印刷形態で印刷画像をロール紙に印刷する場合に、綴じ方向に応じて自動的に綴じしろ位置を決定する印刷制御方法が記載されている。特許文献２には、電子写真方式や昇華熱転写方式を採用したプリンタで両面印刷を行なう場合に、印刷用紙の表面を印刷した時点で印刷用紙が変形する場合であっても、印刷用紙の第１面および第２面のうちの少なくとも一方の面に印刷される予定の画像の寸法を、その変形する分だけ原画像データ上であるいは印刷用データ上で補正する画像処理装置が記載されている。
【先行技術文献】
【特許文献】
【０００４】
【特許文献１】特開２０１０−２３７７４９号公報
【特許文献２】特開２００４−０５４８０２号公報
【発明の概要】
【発明が解決しようとする課題】
【０００５】
従来、記録媒体の第１の面と当該第１の面の反対の面である第２の面の画像形成領域を合わせるために、ユーザは、第１の面の画像形成領域の位置に対して第２の面の画像形成領域の位置を計算して指定する必要があった。
【０００６】
本発明は、かかる事情に鑑みてなされたものであり、記録媒体の第１の面と当該第１の面の反対の面である第２の面とに画像を形成する場合に、両面の画像形成領域の少なくとも一部同士を厚み方向に重ねることを目的とする。
【課題を解決するための手段】
【０００７】
上記の課題を解決するため、本発明の請求項１に係る情報処理装置は、記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、前記設定された画像形成領域の位置を示す情報を出力する出力部とを備える。
【０００８】
本発明の請求項２に係る情報処理装置は、請求項１に記載の構成において、前記画像形成領域設定部は、前記第２の面における前記画像形成領域の前記搬送方向の位置を規定する第２の基準位置を、前記記録媒体の前記搬送方向の長さから、前記第１の面における前記画像形成領域の前記搬送方向の位置を規定する第１の基準位置を示す値を減じて得た値に対して、前記第１の面における前記画像形成領域の前記搬送方向の長さを加算又は減算して得られる値に基づいて定まる位置に設定することを特徴とする。
【０００９】
本発明の請求項３に係る情報処理装置は、請求項１又は２に記載の構成において、前記記録媒体の前記搬送方向の長さを示す情報であって、前記記録媒体を収容する前記画像形成装置から出力される情報を取得する取得部をさらに備えることを特徴とする。
【００１０】
本発明の請求項４に係る情報処理装置は、請求項１乃至３のいずれか１項に記載の構成において、前記画像形成領域設定部は、前記第１の面における画像形成領域の数と、前記第２の面における画像形成領域の数とが予め定められた条件を満たす場合に、前記第１の面における一の画像形成領域と前記第２の面における一の画像形成領域とからなる各組について、前記設定を行うことを特徴とする。
【００１１】
本発明の請求項５に係る画像形成システムは、記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、前記設定された画像形成領域の位置を示す情報を出力する出力部とを備える情報処理装置と、前記記録媒体の前記第２の面において、前記出力された情報により示される位置の画像形成領域に画像を形成する画像形成装置とを備える。
【００１２】
本発明の請求項６に係るプログラムは、コンピュータを、記録媒体の第１の面と当該第１の面の反対の面である第２の面とに画像が形成される場合に、前記第２の面において画像が形成される画像形成領域が、前記記録媒体の長さであって、画像を形成する画像形成装置において前記第１の面に画像が形成される際に前記記録媒体が搬送される方向である搬送方向の長さから、前記記録媒体の前記搬送方向の下流側の端部から前記第１の面において画像が形成される画像形成領域の上流側の端部までの前記搬送方向の距離を減じて得た値の距離だけ、前記記録媒体の前記搬送方向の上流側の端部から前記搬送方向に離れるように、前記第２の面における前記画像形成領域の位置を設定する画像形成領域設定部と、前記設定された画像形成領域の位置を示す情報を出力する出力部として機能させる。
【発明の効果】
【００１３】
請求項１、２、５又は６に係る発明によれば、記録媒体の第１の面と当該第１の面の反対の面である第２の面とに画像を形成する場合に、両面の画像形成領域の少なくとも一部同士を厚み方向に重ねることができる。
請求項３に係る発明によれば、記録媒体を収容する画像形成装置から出力される、当該記録媒体の長さを示す情報を取得しない場合と比較して、両面の画像形成領域の重なりのズレを低減することができる。
請求項４に係る発明によれば、第１の面における画像形成領域の数と第２の面における画像形成領域の数とが予め定められた条件を満たす場合に、両面の画像形成領域の少なくとも一部同士を厚み方向に重ねることができる。
【図面の簡単な説明】
【００１４】
【図１】印刷システム１の構成の一例を示す図である。
【図２】クライアント装置１０の構成の一例を示すブロック図である。
【図３】用紙Ｓの面上に設定される印刷領域Ｒの配置の一例を示す図である。
【図４】面付け処理の一例を示すフローチャートである。
【図５】面付けテンプレート作成画面の一例を示す図である。
【図６】図５に示す面付けテンプレート作成画面において設定された、用紙Ｓの面上の印刷領域Ｒの配置の一例を示す図である。
【図７】面付けテンプレート作成画面の一例を示す図である。
【図８】図７に示す面付けテンプレート作成画面において設定された、用紙Ｓの面上の印刷領域Ｒの配置の一例を示す図である。
【図９】クライアント装置１０Ａの構成の一例を示すブロック図である。
【図１０】面付け処理の一例を示すフローチャートである。
【図１１】おもて面及びうら面の印刷位置と原点の位置と、うら面の印刷位置Ｘｂの算出式との対応関係を示す図である。
【発明を実施するための形態】
【００１５】
以下、本発明の実施の形態について図面を参照しつつ説明する。
１．実施形態
１−１．構成
図１は、本発明の一実施形態に係る印刷システム１の構成の一例を示す図である。印刷システム１は、本発明に係る「画像形成システム」の一例である。印刷システム１は、クライアント装置１０と、コントローラ装置２０と、印刷装置３０とにより構成される。コントローラ装置２０は、クライアント装置１０と図示せぬ通信回線により接続されるとともに、印刷装置３０とも図示せぬ通信回線により接続される。ここで通信回線とは、例えば無線又は有線のＬＡＮ（Local Area Network）である。
【００１６】
クライアント装置１０は、コントローラ装置２０に対して印刷データを含む印刷指示を送信するコンピュータ装置である。具体的には、パーソナルコンピュータ等の据え置き型のコンピュータや、タブレット端末、スマートフォン、携帯電話機等の携帯型のコンピュータである。クライアント装置１０は、本実施形態において、本発明に係る「情報処理装置」の一例である。クライアント装置１０から送信される印刷データは、ページ記述言語（Page Description Language、略称ＰＤＬ）で記述される。
【００１７】
コントローラ装置２０は、クライアント装置１０から印刷指示を受信し、受信した印刷指示に基づいてラスタデータを生成して印刷装置３０に対して送信するコンピュータ装置である。コントローラ装置２０は、ＣＰＵ（Central Processing Unit）とメモリとを備える。コントローラ装置２０は、ＣＥＰ（Central Processor）２１と、ＲＩＰ（Raster Image Processor）２２Ａ及び２２Ｂと、ＢＥＰ（Back End Processor）２３Ａ及び２３Ｂという機能を備える。これらの機能は、ＣＰＵがメモリに記憶されるプログラムを実行することにより実現される。
【００１８】
ＣＥＰ２１は、クライアント装置１０から印刷指示を受信すると、受信した印刷指示に含まれる印刷データのうち、用紙のおもて面に形成される画像を表す印刷データをＲＩＰ２２Ａに送り、用紙のうら面に形成される画像を表す印刷データをＲＩＰ２２Ｂに送る。
【００１９】
ＲＩＰ２２Ａ及び２２Ｂは、ＣＥＰ２１から取得した印刷データを解釈して、当該印刷データが表す各ページの画像を表現する中間データを生成する。そして、生成した各ページの中間データをＢＥＰ２３Ａ及び２３Ｂに送る。ＲＩＰ２２Ａは、用紙のおもて面に形成される画像を表現する中間データを生成して、ＢＥＰ２３Ａに送る。一方、ＲＩＰ２２Ｂは、用紙のうら面に形成される画像を表現する中間データを生成して、ＢＥＰ２３Ｂに送る。
【００２０】
ＢＥＰ２３Ａ及び２３Ｂは、ＲＩＰ２２Ａ及び２２Ｂから取得した各ページの中間データを処理して、それら各ページのラスタデータを生成する。そして、生成したラスタデータを印刷装置３０の印刷ユニット３２Ａ及び３２Ｂに送信する。ＢＥＰ２３Ａは、ＲＩＰ２２Ａから取得した各ページの中間データを処理して、それら各ページのラスタデータを生成し、印刷ユニット３２Ａに送信する。一方、ＢＥＰ２３Ｂは、ＲＩＰ２２Ｂから取得した各ページの中間データを処理して、それら各ページのラスタデータを生成し、印刷ユニット３２Ｂに送信する。
【００２１】
印刷装置３０は、用紙に画像を形成する画像形成装置である。具体的には、連続紙プリンタである。印刷装置３０は、前処理機３１と、印刷ユニット３２Ａ及び３２Ｂと、後処理機３３とを備える。前処理機３１は、連続紙を収容して供給する装置である。印刷ユニット３２Ａ及び３２Ｂは、用紙に画像を形成する装置である。画像形成方式は、例えば、インクジェット方式や電子写真方式である。印刷ユニット３２Ａは、ＢＥＰ２３Ａから供給されるラスタデータに基づいて、用紙のおもて面に画像を形成する。一方、印刷ユニット３２Ｂは、ＢＥＰ２３Ｂから供給されるラスタデータに基づいて、用紙のうら面に画像を形成する。後処理機３３は、画像が形成された連続紙を巻き取って収容する装置である。
【００２２】
図２は、クライアント装置１０の構成の一例を示すブロック図である。クライアント装置１０は、ＣＰＵ１１と、メモリ１２と、操作部１３と、表示部１４と、通信部１５とを備える。ＣＰＵ１１は、メモリ１２に記憶されるプログラムを実行して、後述する各種機能を実現する。メモリ１２は、ハードディスクドライブやフラッシュメモリ等の記憶装置である。操作部１３は、タッチセンサやキー等の入力装置である。表示部１４は、液晶ディスプレイ等の表示装置である。通信部１５は、データ通信カード等の通信インタフェースである。
【００２３】
ＣＰＵ１１は、面付け処理部１１１と、表示制御部１１２と、印刷データ送信部１１３という機能を備える。面付け処理部１１１は、本発明に係る「画像形成領域設定部」の一例である。表示制御部１１２と印刷データ送信部１１３とは、本発明に係る「出力部」の一例である。
【００２４】
面付け処理部１１１は、ユーザにより作成された文書データに対して面付け処理を実行する。具体的には、文書データが表す複数の論理的なページを、物理的なページである用紙の面に割り付ける。その際、ｎ−ｕｐ印刷を行う場合には、面付け処理部１１１は、１つの物理ページ上にｎ個の論理ページを割り付ける。ここで、ｎ−ｕｐ印刷とは、１つの物理ページ上にｎ（ｎは２以上の整数）ページの論理ページを並べる印刷である。また、両面印刷を行う場合には、面付け処理部１１１は、用紙のおもて面とうら面の両方に論理ページを割り付ける。ここで、両面印刷とは、用紙のおもて面とうら面の両方に画像を形成する印刷である。以下、面付け処理部１１１により面付け処理について、図を参照して説明する。
【００２５】
図３は、用紙Ｓの面上に設定される印刷領域Ｒの配置の一例を示す図である。ここで、印刷領域Ｒとは、１つの論理ページの画像が形成される画像形成領域である。印刷領域Ｒの印刷位置Ｐは、同図において、ｘｙ座標系により表される。横軸がｘ軸であり、縦軸がｙ軸である。原点Ｏは、おもて面、うら面それぞれの用紙Ｓの左上隅に設定される。同図に示す矢印ＡＲは、印刷装置３０においておもて面に画像が形成される際に用紙Ｓが搬送される方向（以下、単に「搬送方向」という。）を示している。図３（ａ）は、用紙Ｓのおもて面における印刷領域Ｒの配置を示す。図３（ｂ）は、用紙Ｓのうら面における印刷領域Ｒの配置を示す。図３（ｃ）は、用紙Ｓのおもて面の印刷領域Ｒと、おもて面から透かして見たうら面の印刷領域Ｒの配置を示す。
【００２６】
面付け処理部１１１は、両面印刷が行われる場合に、おもて面の印刷領域の位置に基づいて、うら面の印刷領域の位置を設定する。その際、面付け処理部１１１は、おもて面の印刷領域と、うら面の印刷領域とが、用紙の厚み方向（言い換えると、用紙表面に直交する方向）において重なるように、うら面の印刷領域の位置を設定する。より正確には、おもて面の印刷領域の輪郭と、うら面の印刷領域の輪郭とが、用紙の厚み方向において重なるように、うら面の印刷領域の位置を設定する。例えば、図３に示す例では、うら面の印刷領域Ｒ３の位置は、その輪郭Ｃ３が、おもて面の印刷領域Ｒ１の輪郭Ｃ１と用紙Ｓの厚み方向において重なるように設定されている。また、うら面の印刷領域Ｒ４の位置は、その輪郭Ｃ４が、おもて面の印刷領域Ｒ２の輪郭Ｃ２と用紙Ｓの厚み方向において重なるように設定されている。図３に示す例では、おもて面とうら面の印刷領域Ｒは、左右を反転させた鏡像関係となっている。
【００２７】
面付け処理部１１１は、おもて面の印刷領域の位置に基づいて、うら面の印刷領域の位置を設定する際、うら面の印刷領域が、用紙の搬送方向の長さから、用紙の搬送方向下流側の端部からおもて面の印刷領域の上流側の端部までの距離を減じて得た値の距離だけ、用紙の搬送方向上流側の端部から搬送方向に離れるように、うら面の印刷領域の位置を設定する。例えば、図３に示す例では、うら面の印刷領域Ｒ３の位置は、用紙Ｓの長さＷから、用紙Ｓの端部Ｅ１からおもて面の印刷領域Ｒ１の端部Ｅ３までの距離（Ｘａ１＋Ｗａ１）を減じて得た値の距離（Ｗ−（Ｘａ１＋Ｗａ１））だけ、用紙Ｓの端部Ｅ２から搬送方向に離れるように設定されている。また、うら面の印刷領域Ｒ４の位置は、用紙Ｓの長さＷから、用紙Ｓの端部Ｅ１からおもて面の印刷領域Ｒ２の端部Ｅ４までの距離（Ｘａ２＋Ｗａ２）を減じて得た値の距離（Ｗ−（Ｘａ２＋Ｗａ２））だけ、用紙Ｓの端部Ｅ２から搬送方向に離れるように設定されている。
【００２８】
面付け処理部１１１は、おもて面の印刷領域の位置に基づいて、うら面の印刷領域の位置を設定する際、うら面の印刷領域の印刷位置を、用紙の搬送方向の長さから、おもて面の印刷領域の印刷位置を示す値を減じて得た値に対して、おもて面の印刷領域の搬送方向の長さを減算して得られる値に基づいて定まる位置に設定する。ここで、印刷位置とは、印刷領域の搬送方向の位置を規定する基準位置である。例えば、図３に示す例では、うら面の印刷領域Ｒ３の印刷位置Ｘｂ１は、用紙Ｓの長さＷから、おもて面の印刷領域Ｒ１の印刷位置Ｘａ１を示す値を減じて得た値に対して、おもて面の印刷領域Ｒ１の長さＷａ１を減算して得られる値により示される（Ｗ−（Ｘａ１＋Ｗａ１））に設定されている。また、うら面の印刷領域Ｒ４の印刷位置Ｘｂ２は、用紙Ｓの長さＷから、おもて面の印刷領域Ｒ２の印刷位置Ｘａ２を示す値を減じて得た値に対して、おもて面の印刷領域Ｒ２の長さＷａ２を減算して得られる値（Ｗ−（Ｘａ２＋Ｗａ２））により示される位置に設定されている。
【００２９】
次に、表示制御部１１２は、面付け処理部１１１により設定された、用紙のうら面における印刷領域の位置を示す情報を表示部１４に表示させる。具体的には、用紙のうら面上に設定された印刷領域の配置を表す画像を表示部１４に表示させる。
【００３０】
印刷データ送信部１１３は、面付け処理部１１１により面付け処理がなされた文書データに基づいてＰＤＬ形式の印刷データを生成して、ＣＥＰ２１に送信する。この印刷データには、面付け処理部１１１により設定された、用紙のうら面における印刷領域の位置を示す情報が含まれる。
【００３１】
１−２．動作
次に、クライアント装置１０の面付け処理部１１１により実行される面付け処理について、フローチャートを参照して説明する。図４は、面付け処理の一例を示すフローチャートである。同図に示す面付け処理は、ユーザが文書データのページを用紙の面に割り付けるための画面である面付けテンプレート作成画面において、予め定められたボタンが押下されることを契機として実行される。
【００３２】
図５は、面付けテンプレート作成画面の一例を示す図である。同図に示す面付けテンプレート作成画面には、テンプレートの名前を設定するためのテンプレート名設定欄Ｆ１と、各印刷領域のオフセット位置（言い換えると、印刷位置）とサイズとを設定するための印刷領域設定欄Ｆ２と、用紙上の印刷領域の配置のプレビューを表示するためのプレビュー表示欄Ｆ３と、面付け処理の開始を指示するための面付け処理開始ボタンＢとが表示される。図６は、図５に示す面付けテンプレート作成画面において設定された、用紙Ｓの面上の印刷領域Ｒの配置の一例を示す図である。図６は、具体的には、用紙Ｓのおもて面の印刷領域Ｒと、おもて面から透かして見たうら面の印刷領域Ｒの配置を示している。図６によれば、図５に示す面付けテンプレートの設定では、うら面の印刷領域Ｒ３の輪郭は、おもて面の印刷領域Ｒ１の輪郭と用紙Ｓの厚み方向において重ならないことがわかる。また、うら面の印刷領域Ｒ４の輪郭は、おもて面の印刷領域Ｒ２の輪郭と用紙Ｓの厚み方向において重ならないことがわかる。
【００３３】
図５に示す面付けテンプレート作成画面において面付け処理開始ボタンＢが押下されると、面付け処理部１１１は、おもて面の面付けテンプレートデータが存在するか否かを判定する（ステップＳａ１）。この判定の結果、おもて面の面付けテンプレートデータが存在しない場合には（ステップＳａ１：ＮＯ）、本処理は終了する。一方、この判定の結果、おもて面の面付けテンプレートデータが存在する場合には（ステップＳａ１：ＹＥＳ）、面付け処理部１１１は、ステップＳａ２に進む。例えば、図５に示す例によれば、用紙のおもて面の印刷領域Ｒ１及びＲ２についてオフセット位置とサイズとが設定されているため、ステップＳａ１の判定結果は肯定的なものとなる。
【００３４】
ステップＳａ２において面付け処理部１１１は、おもて面の印刷領域数ｉを特定する。例えば、図３に示す例によれば、おもて面の印刷領域数ｉとして「２」が特定される。
【００３５】
次に、面付け処理部１１１は、変数ｎを「１」に設定し（ステップＳａ３）、おもて面の第ｎ番目の印刷領域の幅Ｗａと印刷位置（Ｘａ，Ｙａ）とを特定する（ステップＳａ４）。例えば、図３に示す例によれば、第「１」番目の印刷領域Ｒ１の幅Ｗａ１と、印刷位置Ｐａ１（Ｘａ１，Ｙａ１）とが特定される。
【００３６】
次に、面付け処理部１１１は、ステップＳａ４で特定した、おもて面の第ｎ番目の印刷領域の幅Ｗａと印刷位置（Ｘａ，Ｙａ）とに基づいて、うら面の第（ｎ＋ｉ）番目の印刷領域の印刷位置（Ｘｂ，Ｙｂ）を算出する（ステップＳａ５）。その際、面付け処理部１１１は、下式を用いて印刷位置（Ｘｂ，Ｙｂ）を算出する。
Ｘｂ＝Ｗ−（Ｘａ＋Ｗａ）
Ｙｂ＝Ｙａ
例えば、図３に示す例によれば、第「３」番目の印刷領域Ｒ３の印刷位置Ｐｂ１（Ｘｂ１，Ｙｂ１）として、Ｐｂ１（｛Ｗ−（Ｘａ１＋Ｗａ１）｝，Ｙａ１）が特定される。
【００３７】
次に、面付け処理部１１１は、処理対象となっていない、おもて面の印刷領域が存在するか否かを判定する。具体的には、変数ｎが値ｉ以上であるか否かを判定する（ステップＳａ６）。この判定の結果、変数ｎが値ｉ未満である場合には（ステップＳａ６：ＮＯ）、面付け処理部１１１は、変数ｎをインクリメントして（ステップＳａ８）、ステップＳａ４に戻る。一方、この判定の結果、変数ｎが値ｉ以上である場合には（ステップＳａ６：ＹＥＳ）、表示制御部１１２は、ステップＳａ５で算出された、うら面の印刷領域の印刷位置に基づいて、うら面の面付けテンプレートを表示部１４に表示させる。その後、本処理は終了する。
【００３８】
図７は、表示部１４に表示される、うら面の面付けテンプレート作成画面の一例を示す図である。同図に示す例では、図５に示す例と比較して、印刷領域Ｒ３及びＲ４のオフセット位置が異なっている。具体的には、印刷領域Ｒ３のオフセット位置のｘ座標が「１７０ｍｍ」から「２９０ｍｍ」に変更されている。また、印刷領域Ｒ４のオフセット位置のｘ座標が「１０ｍｍ」から「１３０ｍｍ」に変更されている。なお、図７に示す例では、用紙の搬送方向（すなわち、ｘ軸方向）の長さとして「４５０ｍｍ」を想定している。図８は、図７に示す面付けテンプレート作成画面において設定された、用紙Ｓの面上の印刷領域Ｒの配置の一例を示す図である。図８は、具体的には、用紙Ｓのおもて面の印刷領域Ｒと、おもて面から透かして見たうら面の印刷領域Ｒの配置を示している。図８によれば、図７に示す面付けテンプレートの設定によれば、うら面の印刷領域Ｒ３の輪郭は、おもて面の印刷領域Ｒ１の輪郭と用紙Ｓの厚み方向において重なることがわかる。また、うら面の印刷領域Ｒ４の輪郭は、おもて面の印刷領域Ｒ２の輪郭と用紙Ｓの厚み方向において重なることがわかる。
以上が、面付け処理についての説明である。
【００３９】
以上説明した面付け処理によれば、ユーザが面付け処理開始ボタンＢを押下するだけで、おもて面の面付けテンプレートに合わせた、うら面の面付けテンプレートが作成される。すなわち、おもて面の印刷領域と用紙の厚み方向において重なるように、うら面の印刷領域の位置が設定される。
【００４０】
２．変形例
上記の実施形態は下記のように変形してもよい。また、下記の変形例は他の１以上の変形例と組み合わせてもよい。
【００４１】
２−１．変形例１
上記の実施形態に係る面付け処理において、うら面の印刷領域の印刷位置を算出するために参照される用紙の搬送方向の長さＷは、印刷装置３０から出力される用紙サイズ情報に基づいて設定されてもよい。用紙の搬送方向の長さＷが、印刷装置３０において実際にセットされている用紙の搬送方向の長さに基づいて設定されれば、プログラムにより予め定められた値に設定される場合と比較して、おもて面とうら面の印刷領域の重なりのズレが低減される。
【００４２】
図９は、本変形例に係るクライアント装置１０Ａの構成の一例を示すブロック図である。同図に示すクライアント装置１０Ａは、ＣＰＵ１１Ａが、用紙サイズ情報取得部１１４という機能を備えている点において、図２に示すクライアント装置１０と異なっている。用紙サイズ情報取得部１１４は、用紙の搬送方向の長さを示す情報であって、用紙収容する印刷装置３０から出力される情報を取得する。その際、用紙サイズ情報取得部１１４は、コントローラ装置２０を介して当該情報を取得してもよいし、印刷装置３０から直接取得してもよい。また、用紙サイズ情報取得部１１４は、予め定められた周期で当該情報を取得してもよいし、ユーザにより指示されたタイミングで取得してもよい。例えば、上記の実施形態に係る面付け処理において、ユーザにより面付け処理開始ボタンＢが押下された後であって、ステップＳａ１が実行される前に取得してもよい。用紙サイズ情報取得部１１４は、本発明に係る「取得部」の一例である。
【００４３】
面付け処理部１１１は、用紙サイズ情報取得部１１４により、用紙の搬送方向の長さを示す情報が取得されている場合には、上記の実施形態に係る面付け処理のステップＳａ５において、当該取得された情報に示される用紙の搬送方向の長さを利用して、うら面の印刷領域の印刷位置を算出する。一方、例えば、印刷装置３０に用紙がセットされていない等の理由により、用紙サイズ情報取得部１１４により、用紙の搬送方向の長さを示す情報が取得されていない場合には、面付け処理部１１１は、同ステップＳａ５において、プログラムにより予め設定されている用紙の搬送方向の長さを利用して、うら面の印刷領域の印刷位置を算出する。
【００４４】
２−２．変形例２
上記の実施形態に係る面付け処理は、クライアント装置１０に代えてコントローラ装置２０において実行されてもよい。具体的には、コントローラ装置２０のＣＥＰ２１により面付け処理が実行されてもよい。面付け処理の実行は、クライアント装置１０のユーザの指示によらずになされてもよい。本変形例に係るコントローラ装置２０Ａは、本発明に係る「情報処理装置」の一例である。
【００４５】
図１０は、本変形例に係る面付け処理の一例を示すフローチャートである。同図に示す面付け処理は、コントローラ装置２０ＡのＣＥＰ２１Ａにより、クライアント装置１０から送られてきた印刷データが受信されたことを契機として実行される。同面付け処理は、ＣＥＰ２１Ａが備える面付け処理部１１１Ａにより、受信された印刷データが参照されて実行される。面付け処理部１１１Ａは、本発明に係る「画像形成領域設定部」の一例である。同面付け処理は、ステップＳｂ１〜Ｓｂ３が追加されている点と、ステップＳａ７が省略されている点において、図４に示す面付け処理と相違している。以下、図４に示す面付け処理との相違点についてのみ説明する。
【００４６】
本面付け処理のステップＳｂ１において、面付け処理部１１１Ａは、クライアント装置１０から送られてきた印刷データを参照して、うら面の面付けテンプレートデータが存在するか否かを判定する。この判定の結果、うら面の面付けテンプレートデータが存在しない場合には（ステップＳｂ１：ＮＯ）、本処理は終了する。一方、この判定の結果、うら面の面付けテンプレートデータが存在する場合には（ステップＳｂ１：ＹＥＳ）、面付け処理部１１１Ａは、ステップＳｂ２に進む。
【００４７】
ステップＳｂ２において面付け処理部１１１Ａは、うら面の印刷領域数ｊを特定する。例えば、図３に示す例によれば、うら面の印刷領域数ｊとして「２」が特定される。
【００４８】
次に、面付け処理部１１１Ａは、ステップＳａ２において特定した、おもて面の印刷領域数ｉと、ステップＳｂ２において特定した、うら面の印刷領域数ｊとが、予め定められた条件を満たすか否かを判定する（ステップＳｂ３）。ここで、予め定められた条件とは、おもて面の印刷領域数ｉと、うら面の印刷領域数ｊとが等しいことである。この判定の結果、おもて面の印刷領域数ｉと、うら面の印刷領域数ｊとが異なる場合には（ステップＳｂ３：ＮＯ）、本処理は終了する。一方、この判定の結果、おもて面の印刷領域数ｉと、うら面の印刷領域数ｊとが等しい場合には（ステップＳｂ３：ＹＥＳ）、面付け処理部１１１Ａは、ステップＳａ３に進む。すなわち、おもて面の印刷領域と用紙の厚み方向において重なるように、うら面の各印刷領域の位置を設定する。
【００４９】
図１０に例示する面付け処理が終了すると、ＣＥＰ２１Ａは、面付け処理が行われた印刷データのうち、用紙のおもて面に形成される画像を表す印刷データをＲＩＰ２２Ａに送り、用紙のうら面に形成される画像を表す印刷データをＲＩＰ２２Ｂに送る。ここで、ＣＥＰ２１Ａは、本発明に係る「出力部」の一例である。
【００５０】
２−３．変形例３
上記の実施形態に係る印刷装置３０に収容される連続紙は、本発明に係る「記録媒体」の一例である。記録媒体はカット紙であってもよい。この場合、印刷装置３０はカット紙プリンタであってもよい。また、記録媒体は、用紙に限らず、合成樹脂製のフィルムであってもよい。
【００５１】
２−４．変形例４
上記の実施形態に係る面付け処理において、用紙のおもて面は、本発明に係る「第１の面」の一例である。第１の面は、用紙のうら面であってもよい。すなわち、上記の面付け処理において、うら面の印刷領域と用紙の厚み方向において重なるように、おもて面の各印刷領域の位置を設定するようにしてもよい。
【００５２】
２−５．変形例５
上記の実施形態に係る面付け処理において、文書データが表す論理ページの画像は、本発明に係る「画像」の一例である。用紙の印刷領域に形成される画像は、論理ページを構成するオブジェクトの画像であってもよい。ここで、オブジェクトとは、文字列、グラフィックス（線画、図形）、イメージ（連続調画像）等である。
【００５３】
２−６．変形例６
上記の図３に示す例では、用紙Ｓのおもて面の印刷領域Ｒの輪郭Ｃ全体と、うら面の印刷領域Ｒの輪郭Ｃ全体とが用紙Ｓの厚み方向において重なっているが、必ずしも輪郭Ｃ全体同士が重ならなくてもよい。すなわち、輪郭Ｃの一部同士が重なるだけでもよい。例えば、用紙Ｓのおもて面とうら面とで印刷領域Ｒのサイズが異なる場合には、互いの印刷位置が用紙Ｓの厚み方向において重なるだけでもよい。また、上記の図３に示す例では、用紙Ｓのおもて面とうら面とで印刷領域Ｒの数が同じになっているが、必ずしも同じ数でなくてもよい。また、上記の図３に示す例は２−ｕｐ印刷の例であるが、１つの物理ページ上に割り付ける論理ページの数は１つであっても３つ以上であってもよい。また、割り付けの際、印刷領域は、搬送方向と直交する方向に多段となってもよい。また、印刷領域の形状は、矩形以外の形状であってもよい。
【００５４】
２−７．変形例７
上記の実施形態に係るクライアント装置１０と、上記の変形例に係るコントローラ装置２０Ａとは、本発明に係る「情報処理装置」の一例である。情報処理装置は、印刷装置３０であってもよい。すなわち、印刷装置３０が、面付け処理部１１１の機能を有してもよい。
【００５５】
２−８．変形例８
上記の図３に示す例では、印刷領域Ｒの左上隅の座標が印刷位置Ｐとなっているが、他の点の座標を印刷位置Ｐとしてもよい。例えば、印刷領域Ｒの左下隅、右上隅、右下隅の座標を印刷位置Ｐとしてもよい。また、上記の図３に示す例では、用紙Ｓの左上隅がｘｙ座標系の原点Ｏとなっているが、他の隅を原点Ｏとしてもよい。例えば、用紙Ｓの左下隅、右上隅、右下隅を原点Ｏとしてもよい。
【００５６】
図１１は、おもて面及びうら面の印刷位置と原点の位置と、うら面の印刷位置Ｘｂの算出式との対応関係を示す図である。同図に示すように、例えば、印刷領域の右上隅の座標が印刷位置に設定され、用紙の用紙Ｓの左上隅がｘｙ座標系の原点Ｏとなっている場合には、面付け処理部１１１は、上記の実施形態に係る面付け処理のステップＳａ５において、下式を用いて印刷位置Ｘｂを算出する。
Ｘｂ＝Ｗ−Ｘａ＋Ｗａ
すなわち、面付け処理部１１１は、おもて面の印刷領域の位置に基づいて、うら面の印刷領域の位置を設定する際、うら面の印刷領域の印刷位置を、用紙の搬送方向の長さから、おもて面の印刷領域の印刷位置を示す値を減じて得た値に対して、おもて面の印刷領域の搬送方向の長さを加算して得られる値に基づいて定まる位置に設定する。ここで、印刷位置とは、印刷領域の搬送方向の位置を規定する基準位置である。
なお、印刷位置Ｙｂについては、印刷位置と原点Ｏの位置にかかわらず、下式を用いて算出される。
Ｙｂ＝Ｙａ
【００５７】
２−９．変形例９
上記の実施形態に係るクライアント装置１０のＣＰＵ１１や、上記の変形例２に係るコントローラ装置２０ＡのＣＰＵにより実行されるプログラムは、磁気テープ、磁気ディスク、フレキシブルディスク、光ディスク、光磁気ディスク、メモリ等の記憶媒体に記憶された状態で提供されてもよい。また、当該プログラムは、インターネット等の通信回線を介してダウンロードされてもよい。
【符号の説明】
【００５８】
１…印刷システム、１０…クライアント装置、１１…ＣＰＵ、１２…メモリ、１３…操作部、１４…表示部、１５…通信部、２０…コントローラ装置、２１…ＣＥＰ、２２Ａ，２２Ｂ…ＲＩＰ、２３Ａ，２３Ｂ…ＢＥＰ、３０…印刷装置、３１…前処理機、３２Ａ，３２Ｂ…印刷ユニット、３３…後処理機、１１１…面付け処理部、１１２…表示制御部、１１３…印刷データ送信部、１１４…用紙サイズ情報取得部
【図１】
2017062667.tif 000003
【図２】
2017062667.tif 000004
【図３】
2017062667.tif 000005
【図４】
2017062667.tif 000006
【図５】
2017062667.tif 000007
【図６】
2017062667.tif 000008
【図７】
2017062667.tif 000009
【図８】
2017062667.tif 000010
【図９】
2017062667.tif 000011
【図１０】
2017062667.tif 000012
【図１１】
2017062667.tif 000013